(57)【特許請求の範囲】
【請求項１】
第１の方向において互いに隣接するボンディング領域と感知領域を有する基板と；
前記感知領域に配置された複数の第１の感知列であって、当該第１の感知列の各々は、
複数の第１の電極部と複数の第１の交差部を有し、当該第１の交差部と第１の電極部は、前記第１の方向に沿って交互に接続されている複数の第１の感知列と；
前記感知領域に配置された複数の第２の感知列であって、当該第２の感知列の各々は、複数の第２の電極部と複数の第２の交差部を有し、当該第２の交差部と第２の電極部は第２の方向に沿って交互に接続され、前記第１の方向は前記第２の方向と交差し、当該第２の交差部の各々は前記第１の交差部の一つと交差し、前記第２の電極部と前記第１の電極部のうちの隣接する任意の２つと、前記第１の電極部のうちの隣接する任意の２つと、及び前記第２の電極部のうちの隣接する任意の２つが、それぞれ、スペース領域によって分離されている複数の第２の感知列と；
前記第１の感知列にそれぞれ接続して前記ボンディング領域に延びている複数の第１の
ラインと；及び
前記第２の感知列にそれぞれ接続して前記ボンディング領域に延びている複数の第２の
ラインと；を有し、前記第２のラインの各々が前記スペース領域に沿って配置され、Ｎ番目の第２の感知列に接続された前記第２のラインの一つが、Ｍ番目の第２の感知列の前記第２の交差部の一つと交差し、ここでＮとＭは正の整数であってＮはＭに等しくなく、前記ボンディング領域が第１ボンディング領域と第２ボンディング領域を有し、前記感知領域が前記第１ボンディング領域と前記第２ボンディング領域との間に配置され、前記第１のラインが前記第１ボンディング領域に延び、前記第２のラインが前記第２ボンディング領域に延びているタッチパネル。
【請求項２】
前記第２の感知列の各々の第２の電極部が、二つの端子電極部及び少なくとも１つの中間電極部を有し、当該少なくとも１つの中間電極部が２つの端子電極部間に配置されている請求項１に記載のタッチパネル。
【請求項３】
前記第２のラインが前記第２の感知列の端子電極部間に配置されている請求項２に記載のタッチパネル。
【請求項４】
前記ボンディング領域が前記第１の感知列の端部に隣接していることを特徴とする請求項３に記載のタッチパネル。
【請求項５】
前記ボンディング領域が前記第１の感知列の端部に隣接している請求項１〜４のいずれか１項に記載のタッチパネル。
【請求項６】
前記ボンディング領域が第１ボンディング領域と第２ボンディング領域を有し、前記感知領域が前記第１ボンディング領域と前記第２ボンディング領域との間に配置され、前記第１のラインが前記第１ボンディング領域に延び、前記第２のラインが前記第２ボンディング領域に延びている請求項１〜５のいずれか１項に記載のタッチパネル。
【請求項７】
前記第１の感知列と前記第２の電極部が第１層から作られ、前記第２の交差部が第２層から作られ、前記第１の交差部と前記第２の交差部が第１の絶縁層によって離間されている請求項１〜６のいずれか１項に記載のタッチパネル。
【請求項８】
前記第２のラインが前記第１層から作られ、前記Ｎ番目の第２の感知列に接続された前記第２のラインと、前記Ｍ番目の第２の感知列の第２の交差部が、前記第１絶縁層によって離間されている請求項７に記載のタッチパネル。
【請求項９】
前記第２のラインが第３層から作られ、前記第１層と前記第２層が前記第３層と前記基板との間に配置され、前記Ｎ番目の第２の感知列に接続された前記第２のラインと、前記Ｍ番目の第２の感知列の前記第２の交差部が、第２絶縁層によって離間されている請求項７に記載のタッチパネル。
【請求項１０】
前記第２の感知列と前記第１の電極部分が第１層で作られ、第１の交差部が第２層で作られ、前記第１の交差部と前記第２の交差部が絶縁層によって離間されている請求項１〜９のいずれか１項に記載のタッチパネル。
【請求項１１】
前記第２のラインが前記第２層で作られており、前記Ｎ番目の第２の感知列に接続された前記第２のラインと、前記Ｍ番目の第２の感知列の前記第２の交差部が、前記絶縁層によって離間されている請求項１０に記載のタッチパネル。
【請求項１２】
前記第２のラインの長さ分布が、前記第２の方向の中央部で最も長く当該中央部から両側に向かって順次徐々に減少する請求項１〜１１のいずれか１項に記載のタッチパネル。
【請求項１３】
カバープレートと、当該カバープレートに取り付けられた前記基板をさらに含む請求項１〜１２のいずれか１項に記載のタッチパネル。
【請求項１４】
前記カバープレートが遮光領域を有し、当該遮光領域が前記ボンディング領域を遮る請求項１３に記載のタッチパネル。
【請求項１５】
前記第１の感知列が平行に配置されている請求項１４に記載のタッチパネル。
【請求項１６】
前記第２の感知列が平行に配置されている請求項１〜１５に記載のタッチパネル。
【請求項１７】
表示面を有する表示パネル；及び
前記表示面の上方に配置された請求項１に記載のタッチディスプレイパネルを有する電子デバイス。
【請求項１８】
前記タッチパネルがさらにカバープレートを有し、前記基板が当該カバープレートに取り付けられ、前記カバープレートが遮光領域を有し、前記第２の方向に沿った両側における遮光領域の縁幅が５ｍｍ未満である請求項１７に記載の電子デバイス。
【発明の詳細な説明】
【技術分野】
【０００１】
本発明はタッチパネルに係り、特に細縁デザインのタッチパネルに関する。
【背景技術】
【０００２】
電子技術の非常な発展及び無線通信とインターネットの普及に伴い、様々な電子製品は徐々に人々の日々の生活や仕事に欠かせないものになってきている。電子デバイスの動作を達成するために、最も一般的な入出力（Ｉ／  Ｏ）インターフェースは、キーボード、マウス又はタッチパネルを備えている。キーボード及びマウスと比べると、タッチパネルは直感的な操作を容易にする単純なＩ／  Ｏインターフェースである。したがって、タッチパネルは、通常、人間と電子デバイスとの間の通信インターフェースとして適用される。
【０００３】
タッチパネルの開発における現在の傾向として、高感度かつ高精度に加えて、タッチパネルの縁は、電子製品の外観に対する顧客の要求を満たすために、可能な限り低減する必要がある。しかし、電極のいくつかは横方向に延び、導電ラインが、横方向に延びた感知電極をタッチパネルの一側に位置するパッドに接続しているが、既存のタッチパネルの感知電極は、依然として、感知電極をボンディングパッドに電気的に接続するための導電ラインを必要とする。このため、導電線を配置するためのリザーブ領域は、タッチパネルの両側に確保する必要があるが、そうすると、細縁のデザイン又は縁無しのデザインのタッチパネルを実現することが困難になる。
【発明の概要】
【発明が解決しようとする課題】
【０００４】
本発明は、細縁のデザイン又は縁無しのデザインのタッチパネルに関するものである。
【課題を解決するための手段】
【０００５】
本発明の実施形態に係るタッチパネルは、基板と、複数の第１の感知列と、複数の第２の感知列と、複数の第１のライン及び複数の第２のラインを含む。基板は、第１の方向において、互いに隣接する、ボンディング領域及び感知領域を有する。第１の感知列は感知領域内に配置されている。第１の感知列の各々は、複数の第１の電極部と、第１の方向に沿って交互に接続された複数の第１交差部を含む。第２の感知列は感知領域内に配置されている。第２の感知列の各々は、複数の第２の電極部及び第２の方向に沿って交互に接続される複数の第２の交差部を含み、第１の方向は第２の方向と交差している。第２の交差部の各々は、第１の交差部の一つと交差する。第２の電極部と第１電極部のうちの隣接する２つと、第１の電極部のうちの隣接する２つと、及び第２の電極部のうちの隣接する２つが、それぞれ、スペース領域によってそれぞれ分離されている。第１のラインは、それぞれ、第１の感知列に接続してボンディング領域に延びている。第２のラインは、それぞれ、第２の感知列に接続してボンディング領域に延びている。第２のラインの各々は、スペース領域に沿って配置されている。Ｎ番目の第２の感知列に接続された第２の配線の一つは、Ｍ番目の第２の感知列の第２交差部の一つに交差し、ここでＮとＭは正の整数であり、ＮはＭに等しくない。
【０００６】
本発明の一実施形態では、第２の感知列のそれぞれの第２の電極部は、２つの端子電極部及び少なくとも１つの中間電極部を含み、中間電極部は、２つの端子電極部間に配置されている。第２のラインは第２の感知列の端子電極間に配置されている。
【０００７】
本発明の一実施形態では、ボンディング領域は、第１の感知列の端部に隣接している。
【０００８】
本発明の一実施形態では、ボンディング領域は、第１ボンディング領域と第２ボンディング領域を含み、感知領域は第１ボンディング領域と第２ボンディング領域との間に配置されている。第１のラインは、第１ボンディング領域に延び、第２のラインは第２ボンディング領域に延びている。
【０００９】
本発明の一実施形態では、第１の感知列と第２の電極部分は第１層で作られており、第２の交差部は第２層で作られており、第１の交差部及び第２の交差部は第１の絶縁層によって離間されている。一方、第２のラインは第１層から作ることができ、Ｎ番目の第２の感知列とＭ番目の第２の感知列の第２の交差部に接続された第２のラインは、第１の絶縁層によって離間されている。又は、第２のラインは第３層で作られ、第１層と第２層は第３層と基板との間に配置され、Ｎ番目の第２の感知列に接続された第２のラインとＭ番目の第２の感知列の第２の交差部は第２の絶縁層によって離間されている。
【００１０】
本発明の実施形態において、第２の感知列と第１の電極部分は第１層で作られ、第１の交差部は第２層で作られ、第１の交差部及び第２の交差部は絶縁層によって離間されている。したがって、第２のラインは第１層から作ることができ、Ｎ番目の第２の感知列に接続された第２のラインと、Ｍ番目の第２の感知列の第２の交差部は、絶縁層によって離間されている。
【００１１】
本発明の一実施形態では、第２のラインの長さ分布は、第２の方向に沿って順次減少する前に徐々に増大する。本発明の一実施形態に係る電子装置は、前記タッチパネル及び表示パネルを含む。表示パネルは表示面を有し、タッチパネルは、表示面上に配置されている。
【００１２】
本発明の一実施形態では、タッチパネルは、さらに、カバープレートを含み、基板がカバープレート上に取り付けられている。カバープレートは遮光領域を有し、前記遮光領域はボンディング領域を遮る。第２の方向に沿った２つの両側の遮光領域の縁の幅は５ｍｍ未満である。
【発明の効果】
【００１３】
前記に基づいて、信号伝送用のラインは、本発明の実施形態によるタッチパネルにおいて、感知列の電極部間のスペース領域に配置されている。したがって、基板の長手方向に沿って延びるラインが、基板の横方向にある感知列の領域外の追加の境界領域に配置される必要はない。又は、基板の幅方向に沿って延びるラインが、基板の長手方向にある感知列の領域外の追加の境界領域に配置される必要はない。その結果、細縁のデザイン又は縁無しデザインを有するタッチパネルは、本発明の実施形態にしたがって、提供され得る。
【図面の簡単な説明】
【００１４】
【図１】図１は本発明の第１実施形態に係るタッチパネルの上面図である。
【図２】図２は、Ａ１−Ａ１断面線に沿った図１のタッチパネルを示す断面図である。
【図３】図３は、Ｂ１−Ｂ１断面線に沿った図１のタッチパネルを示す断面図である。
【図４】図４は、本発明の第２実施形態に係るタッチパネルの上面図である。
【図５】図５は、Ａ２−Ａ２断面線に沿った図４のタッチパネルを示す断面図である。
【図６】図６は、Ｂ２−Ｂ２断面線に沿った図４のタッチパネルを示す断面図である。
【図７】図７は、本発明の第３実施形態に係るタッチパネルの上面図である。
【図８】図８は、Ａ３−Ａ３断面線に沿った図７のタッチパネルを示す断面図である。
【図９】図９は、Ｂ３−Ｂ３断面線に沿った図７のタッチパネルを示す断面図である。
【図１０】図１０は、本発明の第４実施形態に係るタッチパネルの上面図である。
【図１１】図１１は、本発明の第５実施形態に係るタッチパネルの上面図である。
【図１２】図１２は、本発明の一実施形態に係る電子装置内の複数の要素の積層関係を示す図である。
【図１３】図１３は、本発明の他の実施形態に係る電子デバイスにおける複数の要素の積層関係を示す図である。
【発明を実施するための形態】
【００１５】
図１は本発明の第１実施形態に係るタッチパネルの上面図、図２はＡ１−Ａ１断面線に沿った図１のタッチパネルを示す断面図及び図３はＢ１−Ｂ１断面線に沿った図１のタッチパネルを示す断面図である。図１を参照して、タッチパネル１００は、基板１１０、複数の第１の感知列１２０、複数の第２の感知列１３０、複数の第１のライン１４０及び複数の第２のライン１５０を含む。基板１１０は、第１の方向Ｄ１で互いに隣接するボンディング領域１１２と感知領域１１４を有する。第１の感知列１２０が感知領域１１４内で平行に配置されている。第２の感知列１３０もまた、感知領域１１４内で平行に配置されている。第１のライン１４０は、それぞれ、第１の感知列１２０に接続してボンディング領域１１２に延びている。第２のライン１５０は、それぞれ、第２の感知列１３０に接続してボンディング領域１１２に伸びている。第１の感知列１２０の各々は、第１の方向Ｄ１に沿って延び、第２の感知列１３０の各々は、第２の方向Ｄ２に沿って延び、第１の方向Ｄ１は第２の方向Ｄ２と交差している。本実施形態では、第１の方向Ｄ１は、第２の方向Ｄ２に垂直である。しかしながら、他の実施形態では、第１の方向Ｄ１及び第２の方向Ｄ２は、互いに垂直でなくてもよい。さらに、複数のパッド１６０はボンディング領域１１２内に配置され、第１のライン１４０と第２のライン１５０は、それぞれパッド１６０に延びている。それにもかかわらず、他の実施形態では、ボンディング領域１１２に延びている第１のライン１４０及び第２のライン１５０の一端は、パッドとして考慮されるべき回路基板又は外部回路に接続するために直接使用することができる。したがって、パッド１６０とライン１４０及び１５０は、タッチパネル１００の中で１つに統合されてもよい。
【００１６】
さらに詳しくは、第１の感知列１２０の各々は、複数の第１の電極部１２２と、第１の方向Ｄ１に沿って交互に接続された複数の第１交差部１２４を含む。第２の感知列１３０の各々は、複数の第２の電極部１３２と、第２の方向Ｄ２に沿って交互に接続された複数の第２の交差部１３４を含む。一方、第２の交差部１３４の各々は、第１の交差部１２４の一つと交差し、第２の電極部１３２と第１電極部１２２のうちの任意の隣り合う２つがスペース領域Ｇによって離間されている。図１を参照して、第１の電極部１２２は、幅が比較的広い第１の感知列１２０の部分であるが、第１の交差部１２４は、幅が比較的狭い第１の感知列１２０の部分である。同様に、第２の電極部１３２と第２の交差部１３４は、前記と同じ大小関係を含む。また、第１の電極部１２２と第２の電極部１３２の各々は、ダイヤモンド形状に類似の輪郭外形を含み、スペース領域Ｇは、ダイヤモンド形状の電極部１２２と１３２との間の領域に関して分配される。したがって、スペース領域Ｇは図１の格子状の分布を示す。
【００１７】
ボンディング領域１１２が第１の感知列１２０の端部に隣接しているので、第１のライン１４０の各々が接続された第１の感知列１２０から第１の方向Ｄ１に沿ってボンディング領域１１２に外側に延びている。また、第２のライン１５０の各々も、接続された第２の感知列１３０からボンディング領域１１２に延びている。しかしながら、本実施形態では、第２のライン１５０の各々は、スペース領域Ｇに沿って配置されている。したがって、第２のライン１５０の各々は、スペース領域Ｇに沿ってジグザグ状に屈曲されている。本実施形態では、第２の感知列１３０の各々の第２の電極部１３２は、２つの端子電極部１３２Ａ及び少なくとも１つの中間電極部１３２Ｂを含み、当該中間電極部１３２Ｂは二つの端子電極部１３２Ａの間に配置されている。一方、第２のライン１５０の全てが、第２の感知列１３０の端子電極１３２Ａの間に配置されている。換言すれば、タッチパネル１００が細い縁又は全く縁がない構造を提供可能なように、第２の感知列１３０の端部と、基板１１０のエッジとの間には、ラインを配置する必要はない。いわゆる縁は、第２の感知列１３０の端部と基板１１０のエッジとの間の領域を指すことに留意する必要があり、第１の感知列１２０の端部と基板１１０のエッジとの間の領域（例えば、ボンディング領域１１２）は縁に含まれないことがある。
【００１８】
さらに、第２のライン１５０はスペース領域Ｇ内に配置され、したがって第２のライン１５０の一部が第２の感知列１３０の少なくとも一つを横切ることができる。さらに詳しくは、Ｎ番目の第２の感知列１３０に接続された第２のライン１５０の一つは、Ｍ番目の第２の感知列１３０の第２の交差部１３４の一つと交差し、ここでＮとＭは正の整数であってＮはＭに等しくない。図１を参照して、ボンディング領域１１２から外側に順次通し番号を配置した後、第２の感知列１３０が第２の感知列１３０Ａ〜１３０Ｆ内に配置され、１番目の第２の感知列１３０Ａから６番目の第２の感知列１３０Ｆが、第２のライン１５０Ａ〜１５０Ｆにそれぞれ接続する。したがって、第２の第２の感知列１３０Ｂに接続された第２のライン１５０Ｂは、第１の第２の感知列１３０Ａの第２交差部１３４の一つと交差する。３番目の第２の感知列１３０Ｃに接続された第２のライン１５０Ｃは、一番目の第２の感知列１３０Ａの第２の交差部１３４及び２番目の第２の感知列１３０Ｂの第２の交差部１３４の一つと交差する。したがって、第６番目の２感知列１３０Ｆに接続された第２のライン１５０Ｆは、１番目から５番目の第２の感知列１３０Ａ〜１３０Ｅの各々において、第２の交差部１３４の一つにそれぞれに交差する。
【００１９】
本実施形態では、第１の感知列１２０及び第２の感知列１３０は、互いに交差しているが、第１の感知列１２０及び第２の感知列１３０は、タッチ感知機能を実現するために、互いに電気的に独立していなければならない。したがって、図２及び図３を参照して、タッチパネル１００はさらに絶縁層１７０を含み、当該絶縁層１７０は、第１の感知列１２０及び第２の感知列１３０の両方に対して電気的独立性を維持するように、交差する要素間に配置されている。
【００２０】
図２及び図３を参照して、全体の第１の感知列１２０及び第２の感知列１３０の第２の電極部１３２は第１層から作られ、第２の感知列１３０の第２交差部１３４は第２層から作られている。第１層及び第２層は絶縁層１７０によって離間されている。さらに詳しくは、絶縁層１７０は、少なくとも第１層と第２層とが交差する部分に配置されている。換言すれば、絶縁層１７０は、互いに交差する第１交差部１２４と第２交差部１３４との間にそれぞれ位置する複数の島状絶縁体であってもよい。
【００２１】
本実施形態では、第２の感知列１３０に接続された第２のライン１５０も、第１層から作ってもよい。図１を参照して、第２のライン１５０の一部は、第２の交差部１３４の一部と交差する。したがって、絶縁層１７０は、互いに交差する第２のライン１５０と第２の交差部１３４との間に配置されてもよい。結果的に、第１の感知列１２０及び第２の感知列１３０が互いに電気的に独立している関係は、絶縁層１７０を配置することによって実現されてもよい。
【００２２】
第１の感知列１２０、第２の電極部１３２及び第２のライン１５０は、第１層で作られ、同一の製造工程で製造可能である。したがって、第２のライン１５０の一部が第２の交差部１３４の一部と交差するように配置されているにもかかわらず、それによって全体的な製造プロセスが複雑化してしない。代わりに、スペース領域Ｇに沿って配置・分配された第２のライン１５０は、タッチパネル１００のための細縁を提供することができ、或いは縁無しのデザインをも実現可能とする。
【００２３】
図４は本発明の第２実施形態に係るタッチパネルの上面図であり、図５はＡ２−Ａ２断面線に沿った図４のタッチパネルを示す断面図であり、図６はＢ２−Ｂ２断面線に沿った図４のタッチパネルを示す断面図である。図４を参照して、タッチパネル２００は基板１１０と、複数の第１の感知列１２０と、複数の第２の感知列１３０と、複数の第１のライン１４０と、複数の第２のライン２５０を含む。さらに詳しくは、本実施形態は第１実施形態と同様である。特に、前記２つの実施形態で引用したように、参照番号は同じ要素を参照している。同一の要素に関する説明は第１実施形態の関連説明を参照することができ、したがって、同一要素に関する説明は以下省略する。第１実施形態と異なり、本実施形態は、第２のライン２５０に対して異なる配置を含む。図４及び図６を参照して、第２のライン２５０は、第１の感知列１２０及び第２の電極部１３２が位置する第１層と、第２の交差部１３４が配置されている第２層の、いずれにも属していない。第２のライン２５０は実質的に第３層で作られ、第１層及び第２層の両層は、第３層と基板１１０との間に配置されている。一方、第２のライン２５０及び交差した第２の交差部１３４は、絶縁層２８０によって離間されている。したがって、第２の感知列１３０は、互いに電気的に独立している。第２の感知列１３０を順次番号付けした後、Ｎ番目の第２の感知列１３０に接続された第２のライン２５０と、Ｍ番目の第２の感知列１３０の第２の交差部１３４は、絶縁層２８０によって離間され、ここでＮとＭは正の整数であってＮはＭと等しくない。
【００２４】
図７は、本発明の第３実施形態に係るタッチパネルの上面図である。図８は、Ａ３−Ａ３断面線に沿った図７のタッチパネルを示す断面図であり、図９は、Ｂ３−Ｂ３断面線に沿った図７のタッチパネルを示す断面図である。図７を参照して、タッチパネル３００は、基板１１０と、複数の第１の感知列３２０と、複数の第２の感知列３３０と、複数の第１のライン３４０と、複数の第２のライン３５０を含む。基板１１０は、第１の方向Ｄ１において互いに隣接した、ボンディング領域１１２と、感知領域１１４を有する。第１の感知列３２０が感知領域１１４内で平行に配置されている。第２の感知列３３０もまた、感知領域１１４内で平行に配置されている。第１のライン３４０は、それぞれ、第１の感知列３２０に接続してボンディング領域１１２に延びている。第２のライン３５０は、それぞれ、第２の感知列３３０に接続してボンディング領域１１２に伸びている。第１の感知列３２０の各々は第１の方向Ｄ１に沿って延び、第２の感知列３３０の各々は第２の方向Ｄ２に沿って延び、ここで第１の方向Ｄ１は第２の方向Ｄ２と交差する。
【００２５】
本実施形態においては、第１の感知列３２０及び第２の感知列３３０の配置レイアウトは、上面視で第１実施形態と同じである。したがって、第１の感知列３２０の各々は、第１の方向Ｄ１に沿って交互に接続された、複数の第１の電極部３２２と複数の第１交差部３２４を含む。第２の感知列３３０の各々は、第２の方向Ｄ２に沿って交互に接続された、複数の第２の電極部３３２と、複数の第２の交差部３３４を含む。一方、第２の交差部３３４の各々は、第１の交差部３２４の一つと交差し、第２の電極部３３２と第１の電極部３２２のうちの隣り合う任意の２つが、スペース領域Ｇによって離間されている。一方、第１のライン３４０の各々は、ボンディング領域１１２に向けた第１の方向Ｄ１に沿って第１の感知列３２０から外側に延びている。また、第２のライン３５０の各々も、接続された第２の感知列３３０からボンディング領域１１２に延びている。しかし、本実施形態では、第２のライン３５０の各々は、スペース領域Ｇに沿って配置されている。したがって、タッチパネル３００は、非常に細い縁を提供することができる。
【００２６】
本実施形態では、図８と図９を参照して、第２の感知列３３０及び第２の電極部３２２の全体が第１層で作られており、第１の交差部３２４が第２層で作られている。一方、第１の交差部３２４及び第２の交差部３３４は、絶縁層３７０によって離間されている。第２のライン３５０は、第１の交差部３２４と同じように第２層で作られてもよい。前述の実施形態と同様に、第２の感知列３３０が、ボンディング領域１１２から順次通し番号で配置される場合、Ｎ番目の第２の感知列３３０に接続された第２のライン３５０と、Ｍ番目の第２の感知列３３０の第２交差部３３４は、絶縁層３７０によって離間されている。ここで、ＮとＭは互いに異なる正の整数である。
【００２７】
前記実施形態によれば、どの層が電極部か、接続部か、又はどのラインに属するかに関係なく、交差要素が異なる層内にあり、かつ、互いに絶縁層を介して離隔されている限り、互いに電気的に独立した感知列が実現可能である。したがって、層に関する前記配置は実証と例示のためのみに使用され、本発明の範囲を限定するものではない。第１実施形態において、第１の感知列１２０及び第２の電極部１３２からなる層は、図２及び図３に示される積層順序に限定する代わりの変更点として製造される第２の交差部１３４の層が製造されてはじめて製造可能である。また、前記実施形態におけるボンディング領域に関する配置も、実証と例示のためのみに使用される。
【００２８】
図１０は、本発明の第４実施形態に係るタッチパネルの上面図である。図１０を参照して、タッチパネル４００は、基板４１０と、複数の第１の感知列４２０と、複数の第２の感知列４３０と、複数の第１のライン４４０と、複数の第２のライン４５０を含む。基板４１０は、第１ボンディング領域４１２Ａと、第２ボンディング領域４１２Ｂと、感知領域４１４を含み、ここで感知領域４１４は、第１ボンディング領域４１２Ａと第２ボンディング領域４１２Ｂとの間に位置する。一方、第１の感知列４２０及び第２の感知列４３０の配置関係は、第１実施形態の関連する説明又は第３実施形態の関連する説明を参照することができる。換言すれば、第１の感知列４２０及び第２の感知列４３０は、第１実施形態の第１の感知列１２０及び第２の感知列１３０に置き換えてもよい。或いは、第１の感知列４２０及び第２の感知列４３０は、第３実施形態の第１の感知列３２０及び第２の感知列３３０に置き換えてもよい。さらに、第１のライン４４０は、接続された第１の感知列４２０から第１ボンディング領域４１２Ａに延び、第２のライン４５０は、接続された第２の感知列４３０から第２ボンディング領域４１２Ｂに延びている。換言すれば、第１のライン４４０及び第２のライン４５０は、それぞれ、２つの反対側に向かって延びている。
【００２９】
図１１は、本発明の第５実施形態に係るタッチパネルの上面図である。図１１を参照して、タッチパネル５００は、基板５１０と、複数の第１の感知列５２０と、複数の第２の感知列５３０と、複数の第１のライン５４０と、複数の第２のライン５５０を含む。基板５１０は、ボンディング領域５１２及び感知領域５１４を含み、感知領域４１４とボンディング領域５１２が方向Ｄ１において互いに隣接している。一方、第１の感知列５２０及び第２の感知列５３０の配置関係は、第１実施形態の関連説明又は第３実施形態の関連説明を参照することができる。換言すれば、第１の感知列５２０及び第２の感知列５３０は、第１実施形態の第１の感知列１２０及び第２の感知列１３０に置き換えてもよい。或いは、第１の感知列５２０及び第２の感知列５３０は、第３実施形態の第１の感知列３２０及び第２の感知列３３０に置き換えてもよい。さらに、第１のライン５４０は、接続された第１の感知列５２０からボンディング領域５１２に延び、第２のライン５５０も、接続された第２の感知列５３０からボンディング領域５１２に延びている。
【００３０】
本実施形態では、ボンディング領域１１２から外側に順次通し番号を配置した後、第２の感知列５３０が第２の感知列５３０Ａ〜５３０Ｆ内に配置され、１番目の第２の感知列５３０Ａ〜６番目の第２の感知列５３０Ｆが、それぞれ、第２のライン５５０Ａ〜５５０Ｆに接続している。第２の感知列５３０Ｆが、ボンディング領域５１２から最も遠いので、第２のライン５５０Ｆの配線長がはるかに長い。第２のライン５５０Ｆが第２の感知列５３０Ｆの端部に接続されている場合、第２の感知列５３０Ｆの中で送信される信号は、第２のライン５５０Ｆの全体及び第２の感知列５３０Ｆの全体を通過しなければならないが、そうすると信号に遅延や歪みが生じる。したがって、本実施形態では、第２のライン５５０Ｆを第２の感知列５３０Ｆの中央に接続することにより信号の伝送経路が短縮化されるので、前記問題を解決することができる。
【００３１】
本実施形態では、第２のライン５５０Ｃ、５５０Ｅ、５５０Ｆ、５５０Ｄ、５５０Ｂ及び５５０Ａを、順次第２の方向Ｄ２に沿って分配させ、第２のライン５５０Ｃ、５５０Ｅ、５５０Ｆ、５５０Ｄ、５５０Ｂ及び５５０Ａの長さ分布は、第２の方向Ｄ２に沿って順次減少する前に、徐々に増大する。結果として、異なる第２の感知列５３０間で伝送される信号により引き起こされるインピーダンスの差に起因する問題を軽減することができる。
【００３２】
図１２は、本発明の実施形態に係る電子装置内の複数の要素の積層関係を示す図である。図１２を参照して、電子デバイス１０は、タッチパネル１２と表示パネル１４を含み、当該タッチパネル１２は表示パネル１４の表示面１４Ａの上方に配置されている。タッチパネル１２は、基板１２Ａと、感知素子１２Ｂと、カバープレート１２Ｃを含み、感知素子１２Ｂは基板１２Ａ上に配置され、基板１２Ａはカバープレート１２Ｃに取り付けられている。一方、回路基板１６は、感知素子１２Ｂに電気的に接続される基板１２Ａ上に接着されている。
【００３３】
さらに詳しくは、タッチパネル１２の基板１２Ａは、第１〜第３及び第５実施形態のいずれかに記載の基板であってよく、また感知素子１２Ｂは、前述の実施形態のいずれかに記載の、第１の感知列、第２の感知列、第１のライン及び第２のラインであってよい。さらに、本実施形態では、カバープレート１２Ｃは遮光領域ＢＭを含み、当該遮光領域ＢＭは、少なくとも基板１２Ａのボンディング領域（すなわち、回路基板１６に結合された領域）を遮る。例えば、カバープレート１２Ｃはガラス板であってもよく、その場合、前記遮光領域ＢＭはガラス板上の遮光パターン層によって規定される領域である。図１２を参照して、感知素子１２Ｂと基板１２Ａとの間の縁部Ｓ１、Ｓ２上に、ラインを配置する必要はない。したがって、遮光領域ＢＭの縁の幅Ｗ１は非常に薄くなるように低減することができ、縁部Ｓ１、Ｓ２は前述した実施形態に記載のように第２の方向Ｄ２に沿った両側にある。結果として、電子デバイス１０は、市場の要求に合致した細縁のデザインを含むことができる。例えば、縁の幅Ｗ１は５ｍｍ未満にすることができ、或いはゼロにすることもできる。
【００３４】
図１３は、本発明の別の実施形態に係る電子デバイスにおける複数の要素の積層関係を示す。図１３を参照して、電子デバイス２０は図１２の電子デバイス１０と同様であり、このように二つの実施形態に示した同一要素には同一の参照番号を付する。さらに詳しくは、電子デバイス２０と電子デバイス１０の違いは、電子装置２０のタッチパネル２２の中では、第４実施形態で説明したように、基板２２Ａと感知素子２２Ｂが同じ設計を有する。したがって、電子デバイス２０は、基板２２Ａの両側にそれぞれ接続された二枚の回路基板２６Ａ、２６Ｂを含む。
【００３５】
要約すると、ラインは、本発明の実施形態に係るタッチパネル中の感知列の電極部間のスペース領域に配置される。したがって、本発明の実施形態に係るタッチパネルは細い縁を提供することができる。さらに、感知列に接続されたラインは、感知列の端部に接続された形に限定する代わりに、側方列の中央部に接続するようにしてもよい。信号は、信号線との間で伝送される場合、したがって、送信時のインピーダンスに起因する信号変動を緩和することができる。
【産業上の利用可能性】
【００３６】
本発明に係る設計は、タッチ感知機能を有するためのタッチパネルで構成された任意のデバイスで利用することができる。
【符号の説明】
【００３７】
１０，２０：電子デバイス
１２，２２，１００，２００，３００，４００，５００：タッチパネル
１２Ａ、２２Ａ、１１０、４１０、５１０：基板
１２Ｂ、２２Ｂ：センサ素子
１２Ｃ：カバープレート
１４：ディスプレイパネル
１４Ａ：表示面
１６，２６Ａ、２６Ｂ：回路基板
１１２：ボンディング領域
１１４：感知領域
１２０、３２０、４２０、５２０：第１の感知列
１２２、３２２：第１の電極部
１２４、３２４：第１の交差部
１３０、１３０Ａ〜１３０Ｆ、３３０、４３０、５３０、５３０Ａ〜５３０Ｅ：第２の感知列
１３２、３３２：第２の電極部
１３２Ａ：端子電極部
１３２Ｂ：中間電極部
１３４、３３４：第２の交差部
１４０、３４０、４４０、５４０：第１のライン
１５０，１５０Ａ〜１５０Ｆ、２５０，３５０，４５０，５５０，５５０Ａ〜５５０Ｄ：第２のライン
１６０：パッド
１７０、２８０、３７０：絶縁層
４１２Ａ：第１ボンディング領域
４１２Ｂ：第２ボンディング領域
Ａ１−Ａ１、Ｂ１−Ｂ１、Ａ２−Ａ２、Ｂ２−Ｂ２、Ｃ１−Ｃ１、Ｃ２−Ｃ２：ライン
ＢＭ：遮光地域
Ｄ１：第１の方向
Ｄ２：第２の方向
Ｇ：スペース領域
Ｓ１、Ｓ２：縁部
Ｗ１：縁幅
【図１】
0006042382.tif 000002
【図２】
0006042382.tif 000003
【図３】
0006042382.tif 000004
【図４】
0006042382.tif 000005
【図５】
0006042382.tif 000006
【図６】
0006042382.tif 000007
【図７】
0006042382.tif 000008
【図８】
0006042382.tif 000009
【図９】
0006042382.tif 000010
【図１０】
0006042382.tif 000011
【図１１】
0006042382.tif 000012
【図１２】
0006042382.tif 000013
【図１３】
0006042382.tif 000014